(57)【要約】【課題】この発明の課題は、ボトルウォーターを原水とする，飲用水供給装置において、ボトルウォーターの挿入時に、トレーを用いず、省力化及びボトルウォーターの挿入後の脱落防止を図るボトルウォーターを原水とする飲用水供給装置へのボトルウォーター挿入装置ならびに挿入方法を開発・提供するものである。【解決手段】ボトルウォーターを底置式としたボトルウォーターを原水とする，飲用水供給装置（Ｘ）において、ボトルウォーター（Ｗ）が挿入される部分（Ａ）の底面に、底板（Ｙ）を設け、該底板（Ｙ）の前面上端から飲用水供給装置（Ｘ）の設置床面（Ｚ）に向けてスロープ板（１）を設け、該スロープ板（１）にそってボトルウォーター（Ｗ）を移動させる飲用水供給装置へのボトルウォーター挿入装置ならびに挿入方法。【選択図】      図２
2012171679.tif 000002
【特許請求の範囲】
【請求項１】
ボトルウォーターを底置式としたボトルウォーターを原水とする，飲用水供給装置（Ｘ）において、ボトルウォーター（Ｗ）が挿入される部分（Ａ）の底面に、底板（Ｙ）を設け、該底板（Ｙ）の前面上端から飲用水供給装置（Ｘ）の設置床面（Ｚ）に向けてスロープ板（１）を設けたことを特徴とする飲用水供給装置へのボトルウォーター挿入装置。
【請求項２】
ボトルウォーターを底置式としたボトルウォーターを原水とする，飲用水供給装置（Ｘ）において、ボトルウォーター（Ｗ）が挿入される部分（Ａ）の底面に、底板（Ｙ）を設け、該底板（Ｙ）の前面に、スロープ板（１）を設け、該スロープ板が可動可能であることを特徴とする飲用水供給装置へのボトルウォーター挿入装置。
【請求項３】
ボトルウォーターを底置式としたボトルウォーターを原水とする，飲用水供給装置（Ｘ）において、ボトルウォーター（Ｗ）が挿入される部分（Ａ）の底面に、底板（Ｙ）を設け、該底板（Ｙ）の前面上端から飲用水供給装置（Ｘ）の設置床面（Ｚ）に向けてスロープ板（１）を設けるにあたり、該スロープ板（１）と前記底板（Ｙ）の前面上端とを蝶番（Ｖ）で連結し、該スロープ板（１）を蝶番（Ｖ）部で垂直方向に起立、かつその状態で一時固定手段（Ｕ）にて、一時固定することを特徴とする飲用水供給装置へのボトルウォーター挿入装置。
【請求項４】
スロープ板（１）の素材が、金属製の板、硬質の合成樹脂製板のいずれから選ばれたものであることを特徴とする請求項１または２または３記載の飲用水供給装置へのボトルウォーター挿入装置。
【請求項５】
スロープ板（１）の表面に、断面形状が、丸型の棒材（Ｔ）、あるいは角形の棒材（Ｔ′）を、ボトルウォーター（Ｗ）の移動方向で、かつ、所定の間隔置きに設けたことを特徴とする請求項１または２または３または４記載の飲用水供給装置へのボトルウォーター挿入装置。
【請求項６】
ボトルウォーター（Ｗ）が挿入される部分（Ａ）の底面に、底板（Ｙ）を設け、該底板（Ｙ）の前面上端から飲用水供給装置（Ｘ）の設置床面（Ｚ）に向けてスロープ板（１）を設け、該スロープ板（１）に沿ってボトルウォーター（Ｗ）を挿入させることを特徴とする飲用水供給装置へのボトルウォーター挿入方法。
【発明の詳細な説明】
【技術分野】
【０００１】
この発明は、ボトルウォーターを底置式としたボトルウォーターを原水とする，飲用水供給装置であって、特に、底置式の飲用水供給装置へのボトルウォーター挿入装置および挿入方法に関するものである。
【背景技術】
【０００２】
近年、水道水に代えて、鉱泉水等の自然水を飲用する愛好者が、家庭や事業所において増えており、そのため、ガロンボトル等の比較的容量の大きな容器に充填されたボトルウォーターの飲用水供給装置が家庭や事業所に設置され、飲用されている。
【０００３】
そして、この家庭や事業所に設置されているボトルウォーターの飲用水供給装置は、通常、装置の上部にセットしている。例えば、特許文献１のように。
【先行技術文献】
【特許文献】
【０００４】
【特許文献１】特開２０１０−１４３６３０号公報
【０００５】
しかし、ボトルウォーターの飲用水供給装置にセットするボトルウォーターは、重量があるため、該装置の上部にセットするよりも下部にセットする即ち，底置式にした方が、交換作業が省力的に行えるものである。
【０００６】
そして、ボトルウォーターを原水とする，飲用水供給装置においては、図１の通りボトルウォーターを底置式とした際に、従来の方式では車輪のついたトレーや、ガイドレールに載せたトレーを引き出す方式が考えられる。
【０００７】
しかし、この方式では、可動部である車輪やレール部分にボトルウォーターの荷重が掛かり、故障の原因となる。また、可動式である為、飲用水供給装置の振動、衝撃により、ボトルウォーターの脱落、飛び出しの原因となるという欠点があった。
【発明の概要】
【発明が解決しようとする課題】
【０００８】
そこで、この発明の課題は、ボトルウォーターを原水とする，飲用水供給装置において、ボトルウォーターの挿入時に、トレーを用いず、省力化及びボトルウォーターの挿入後の脱落防止を図るボトルウォーターを原水とする飲用水供給装置へのボトルウォーター挿入装置ならびに挿入方法を開発・提供するものである。
【課題を解決するための手段】
【０００９】
上記の課題を解決するため、ボトルウォーターを原水とする飲用水供給装置の引き出し部を、可動式のトレーは用いず、ボトルとの接触面の極めて少ない構造にして、極力摩擦を少なくすることにより、ボトルウォーターを省力的に挿入できるボトルウォーターを原水とする飲用水供給装置におけるボトルウォーターの飲用水供給装置への挿入方法および挿入装置である。
【発明の効果】
【００１０】
この発明によると、ボトルウォーターを底置式としたボトルウォーターを原水とする飲用水供給装置（Ｘ）において、該飲用水供給装置のボトルウォーター（Ｗ）が挿入される部分（Ａ）に、底板（Ｙ）を設け、該底板（Ｙ）の前面上端から飲用水供給装置（Ｘ）の設置床面（Ｚ）に向けてスロープ板（１）を設けたことにより、該スロープ板（１）にそってボトルウォーターが挿入される部分（Ａ）まで、ボトルウォーター（Ｗ）を移動することにより、ボトルウォーターを持ち上げることなく、押すだけで移動でき、挿入が可能となる等極めて有益なる効果を奏する。
【００１１】
また、この発明によると、ボトルウォーターを底置式としたボトルウォーターを原水とする飲用水供給装置（Ｘ）において、該飲用水供給装置のボトルウォーター（Ｗ）が挿入される部分（Ａ）の底面に底板（Ｙ）を設け、該底板（Ｙ）の前面に、スロープ板（１）を設け、該スロープ板が可動可能に設置したため、使用時、即ち，ボトルウォーター（Ｗ）を挿入する時のみ、スロープ板（１）を設置しておき、それ以外の場合には、該スロープ板（１）を起立させておけば、邪魔にならないとの効果を奏する。
【００１２】
さらに、  ボトルウォーターを底置式としたボトルウォーターを原水とする，飲用水供給装置（Ｘ）において、ボトルウォーター（Ｗ）が挿入される部分（Ａ）の底面に、底板（Ｙ）を設け、該底板（Ｙ）の前面上端から飲用水供給装置（Ｘ）の設置床面（Ｚ）に向けてスロープ板（１）を設けるにあたり、該スロープ板（１）と前記底板（Ｙ）の前面上端とを蝶番（Ｖ）で連結し、該スロープ板（１）を蝶番（Ｖ）部で垂直方向に起立、かつその状態で一時固定手段（Ｕ）にて、一時固定することにより、該スロープ板（１）が邪魔にならないだけでなく、ボトルウォーター（Ｗ）挿入後、地震等により、装置に振動、衝撃を受けた際でも、ボトルウォーターの脱落、飛び出しを防止できる等の効果を奏する。
【００１３】
また、スロープ板（１）の素材は、金属製の板、あるいは硬質の合成樹脂製板から構成されており、極めて堅牢である。
【００１４】
さらに、スロープ板（１）の表面には、断面形状が、丸型、あるいは角形の棒材（Ｔ）を、ボトルウォーター（Ｗ）の移動方向で、かつ、所定の間隔置きに設けており、ボトルウォーター（Ｗ）との接触面積が少ないため、ボトルウォーター（Ｗ）を移動供給装置へ容易に移動でき、省力的であるとの効果を奏する。
【図面の簡単な説明】
【００１５】
【図１】この発明の一実施例を示す、飲用水供給装置のボトルウォーターのセット位置を示す正面図である。
【図２】この発明の一実施例を示し、飲用水供給装置のボトルウォーターのセット位置を示す側面図である。
【図３】この発明の一実施例を示し、ボトルウォーターの飲用水供給装置への移動過程を示す説明図である。
【図４】この発明に使用するスロープ板の一実施例を示す拡大側面図である。
【図５】この発明に使用するスロープ板の一実施例を示す斜視図である。
【図６】この発明に使用するスロープ板の一実施例を示す斜視図である。
【発明を実施するための形態】
【００１６】
以下、本発明について詳細に説明する。なお、本発明においては、以下の記述に限定されるものではなく、本発明の要旨を逸脱しない範囲においては適宜変更可能である。
【実施例】
【００１７】
この発明の一実施例を図面に従って説明すると、ボトルウォーターを底置式としたボトルウォーターを原水とする，飲用水供給装置（Ｘ）において、ボトルウォーター（Ｗ）が挿入される部分（Ａ）の底面に、底板（Ｙ）を設け、該底板（Ｙ）の前面上端から飲用水供給装置（Ｘ）の設置床面（Ｚ）に向けてスロープ板（１）を設けたことを特徴とする飲用水供給装置へのボトルウォーター挿入装置から構成される。
【００１８】
さらに、この発明は、ボトルウォーターを底置式としたボトルウォーターを原水とする，飲用水供給装置（Ｘ）において、ボトルウォーター（Ｗ）が挿入される部分（Ａ）の底面に、底板（Ｙ）を設け、該底板（Ｙ）の前面に、スロープ板（１）を設け、該スロープ板が可動可能であることを特徴とする飲用水供給装置へのボトルウォーター挿入装置から構成される。
【００１９】
また、さらに、この発明は、ボトルウォーターを底置式としたボトルウォーターを原水とする，飲用水供給装置（Ｘ）において、ボトルウォーター（Ｗ）が挿入される部分（Ａ）の底面に、底板（Ｙ）を設け、該底板（Ｙ）の前面上端から飲用水供給装置（Ｘ）の設置床面（Ｚ）に向けてスロープ板（１）を設けるにあたり、該スロープ板（１）と前記底板（Ｙ）の前面上端とを蝶番（Ｖ）で連結し、該スロープ板（１）を蝶番（Ｖ）部で垂直方向に起立、かつ、その状態で一時固定手段（Ｕ）にて、一時固定することを特徴とする飲用水供給装置へのボトルウォーター挿入装置から構成される。
【００２０】
尚、一時固定手段（Ｕ）は、種々考えられるが、その一例としては図４に示すように、ボトルウォーター（Ｗ）が挿入された後、スロープ板（１）を、鉛直方向に起立させ、該スロープ板（１）の側面部と、飲用水供給装置（Ｘ）のボトルウォーター（Ｗ）が挿入される部分（Ａ）の側面部とを、ロックするよう構成したものでもよく、要するに、一時的にスロープ板（１）が、鉛直方向に起立して飲用水供給装置（Ｘ）のボトルウォーター（Ｗ）が挿入される部分（Ａ）に固定されるものであれば、その手段は問わない。
【００２１】
そして、これら発明のスロープ板（１）の素材は、金属製の板か、あるいは、硬質の合成樹脂製板のいずれから選ばれたものであり、堅牢な素材で構成される飲用水供給装置へのボトルウォーター挿入装置となるものである。
【００２２】
スロープ板（１）の表面には、断面形状が、丸型の棒材（Ｔ）、あるいは角形の棒材（Ｔ′）を、ボトルウォーター（Ｗ）の移動方向で、かつ、所定の間隔置きに設けた飲用水供給装置へのボトルウォーター挿入装置であり、出来る限り、ボトルウォーター（Ｗ）との接触面積を少なくすることにより、摩擦抵抗が少なく、従って省力的に移動できる。
【００２３】
さらに、この発明は、ボトルウォーター（Ｗ）が挿入される部分（Ａ）の底面に、底板（Ｙ）を設け、該底板（Ｙ）の前面上端から飲用水供給装置（Ｘ）の設置床面（Ｚ）に向けてスロープ板（１）を設け、該スロープ板（１）に沿ってボトルウォーター（Ｗ）を挿入させることが省力的に行える飲用水供給装置へのボトルウォーター挿入方法からなるものである。
【産業上の利用可能性】
【００２４】
この発明によると、ボトルウォーターを底置式としたボトルウォーターを原水とする，飲用水供給装置（Ｘ）において、該飲用水供給装置へのボトルウォーター挿入装置および挿入方法の技術を確立し、それに基づいて製造・販売することにより、産業上の利用可能性があるものである。
【符号の説明】
【００２５】
１  スロープ板
Ａ  ボトルウォーターが挿入される部分
Ｔ  断面形状が丸型の棒材
Ｔ′断面形状が角形の棒材
Ｕ  一時固定手段
Ｖ  蝶番
Ｗ  ボトルウォーター
Ｘ  飲用水供給装置
Ｙ  底板
Ｚ  設置床面
【図１】
2012171679.tif 000003
【図２】
2012171679.tif 000004
【図３】
2012171679.tif 000005
【図４】
2012171679.tif 000006
【図５】
2012171679.tif 000007
【図６】
2012171679.tif 000008